(57)【要約】【課題】煩わしい電池交換が不要であるとともに、充電が切れている場合でも急速充電してすぐに使用することができるコンデンサを使用した充電式電子ローソクを提供することを課題とする。【解決手段】電子ローソク１は、本体部２に内挿された電気二重層コンデンサ６に対して、外部の充電器から充電用端子７ａ，７ｂに印加された充電電圧が印加されると、電気二重層コンデンサ６が急速充電されるため、発光ダイオード３が発光し、発光灯カバー４が炎のように光る。このように、電子ローソク１は、充電が切れている場合でも急速充電してすぐに使用することができる。【選択図】                図１
2005078809.tif 000002
【特許請求の範囲】
【請求項１】
電圧が印加されたときに炎形に発光する発光部と、前記発光部を上端部に取着した本体部と、前記発光部に前記電圧を供給する電源部とを有し、前記電源部に急速充電可能な電気二重層コンデンサを設けたことを特徴とするコンデンサを使用した充電式電子ローソク。
【請求項２】
請求項１に記載のコンデンサを使用した充電式電子ローソクであって、前記本体部の内部に前記電気二重層コンデンサを設けるとともに前記本体部の底面に市販燭台の突針が差し込まれるガイド穴を形成したことを特徴とするコンデンサを使用した充電式電子ローソク。
【請求項３】
請求項１に記載のコンデンサを使用した充電式電子ローソクであって、前記本体部の基端部が専用燭台に挿着され、当該専用燭台に前記電気二重層コンデンサを設けたことを特徴とするコンデンサを使用した充電式電子ローソク。
【請求項４】
請求項１，２又は３に記載のコンデンサを使用した充電式電子ローソクを充電するための充電器であって、電源として商用電源と乾電池電源とを選択して使用するように構成されたことを特徴とする充電器。
【発明の詳細な説明】
【０００１】
【発明の属する技術分野】
本発明は、仏壇等で使用される電子ローソクに関する。
【０００２】
【従来の技術】
従来、仏壇等で使用される油脂材から成るローソクは、炎の消し忘れ、あるいはローソクの倒れなどにより、火災の原因となることがある。そのため、電源に乾電池を使用するとともに、発光ダイオードを炎のように発光させる電子ローソク（例えば特許文献１参照）が用いられることが多い。尚、電子ローソクは、上記の乾電池の代わりに充電可能なニッケルカドミュウム電池等を用いることも可能である。
【０００３】
【特許文献１】
特願平７−１５３３８２号（発明の実施の形態の欄）
【０００４】
【発明が解決しようとする課題】
上記従来の電子ローソクは、電源に乾電池を使用している場合、使用回数や使用時間が多くなると、頻繁に乾電池を交換することが必要であるとともに、使用済み乾電池を廃棄しなくてはならないため、手間がかかる。また、乾電池の代わりに充電可能な電池を使用している場合、充電時間が数時間かかるため、充電が切れている場合、すぐ使用することができない。更に、充電可能な電池の寿命が短いという問題がある。
【０００５】
そこで本発明では、煩わしい電池交換が不要であるとともに、充電が切れている場合でも急速充電してすぐに使用することができる「コンデンサを使用した充電式電子ローソク」を提供することを解決すべき課題とするものである。
【０００６】
【課題を解決するための手段】
上記課題は、特許請求の範囲の欄に記載したコンデンサを使用した充電式電子ローソクにより解決することができる。
【０００７】
請求項１，２，３に記載のコンデンサを使用した充電式電子ローソクによれば、電源部に急速充電可能な電気二重層コンデンサを設けたため、煩わしい電池交換が不要であるとともに、充電が切れている場合でも急速充電してすぐに使用することができる。
【０００８】
請求項４に記載の充電器によれば、商用電源が使用困難な場合でも、乾電池を充電電源として急速充電することができるため、請求項１，２，３に記載の充電式電子ローソクをすぐに使用することができる。
【０００９】
【発明の実施の形態】
次に、本発明の実施の形態について説明する。
図１は、市販の燭台に立てて使用することができる電子ローソク１の正面断面図、図２は、電子ローソク１を底面方向から見た図１のＡ−Ａ矢視図である。
図１に示すように、電子ローソク１は、円筒形に形成された本体部２の上端面に発光ダイオード３が取り付けられており、半透明乳白色の発光灯カバー４が発光ダイオード３を覆っている。
【００１０】
電子ローソク１の本体部２の下端面には、市販の燭台の突針が差し込まれるガイド穴５が形成されている。また、本体部２の内部空間には電気二重層コンデンサ６が収納されている。この電気二重層コンデンサ６は、前述の発光ダイオード３に発光用電圧を供給するものであり、活性炭と電解液の界面に発生するプラスとマイナスの電極を有する電気二重層を動作原理として利用するものであって、その特徴とするところは、小形で大きな静電容量を得ることができるとともに、急速充電が可能であり、急速充電を繰り返しても寿命を短くすることはないという点にある。
【００１１】
電子ローソク１の本体部２の上端には、充電用端子７ａ，７ｂが設けられている。この充電用端子７ａ，７ｂは、後述する充電器１０（図３参照）の接点バネ１１ａ，１１ｂに接触された場合，当該充電器１０から出力された充電電圧が印加されるものである。この充電電圧は、発光ダイオード３の下側に配設された制御回路８を介して前述の電気二重層コンデンサ６に充電される。尚、上記制御回路８は、電気二重層コンデンサ６に充電された電圧を電源として前記発光ダイオード３を発光制御するものである。
【００１２】
図３は、電子ローソク１の電気二重層コンデンサ６を充電するための充電器１０の平面図であり、図４は、充電器１０の右側面図である。
電子ローソク１を充電する場合、図３に示すように電子ローソク１の発光灯カバー４が挿入される円形のソケット部１１が中央部に形成されており、ソケット部１１の外縁に充電端子用接点バネ１１ａ，１１ｂが取り付けられている。
【００１３】
充電器１０の内部には、図示していない充電回路基板が配設されている。この充電回路基板には、充電電流を一方方向に流すためのダイオードや、充電電圧を定電圧にするためのツェナーダイオードなどが接続されており、その充電電圧が上記の充電端子用接点バネ１１ａ，１１ｂに印加されるように構成されている。
【００１４】
上記充電電圧の電源は、商用のＡＣ１００ボルトを直流３ボルトに変換するＡＣアダプター（図示省略）からの出力電圧、もしくは、充電器１０に内設された単３形乾電池ホルダー１２にセットされる２個の乾電池の直列出力電圧（約３ボルト）が使用される。尚、図４に示すように、充電器１０の側面には、上記ＡＣアダプターのプラグ（図示省略）が差し込まれた場合、プラグからの出力電圧を入力するためのＡＣアダプター入力用ソケット１３が取り付けられているとともに、上記単３形乾電池ホルダー１２をカバーするための電池用カバー１４が開閉可能に取り付けられている。この構成において、上記ＡＣアダプターのプラグがＡＣアダプター入力用ソケット１３に差し込まれると、充電電圧は、ＡＣアダプター（図示省略）からの出力電圧が選択される。反面、ＡＣアダプターのプラグがＡＣアダプター入力用ソケット１３に差し込まれない場合、充電電圧は、上記乾電池からの出力電圧が選択される。この構成により、商用電源が使用困難な場合でも、乾電池を電源として、電子ローソク１の電気二重層コンデンサを急速充電することができる。
【００１５】
以上のように構成された電子ローソク１を使用する場合、電子ローソク１の発光灯カバー４を充電器１０の円形のソケット部１１に挿入し、電子ローソク１の本体部２の上端に設けられた充電用端子７ａ，７ｂを充電器１０の接点バネ１１ａ，１１ｂに接触させることによって、電子ローソク１の本体部２に内蔵された電気二重層コンデンサ６に、数秒間、充電する。このように電気二重層コンデンサ６が充電されると、電子ローソク１の発光ダイオード３が数十分間、発光し、半透明乳白色の発光灯カバー４が油脂材から成るローソクの炎のように光る。このように、仏壇等で電子ローソク１を使用する場合、その場で急速充電し、数十分間、連続使用することができるため、この電子ローソク１は極めて使い勝手がよい。
【００１６】
次に、図５、図６を参照しながら、専用燭台２０を有する電子ローソク１ａについて説明する。尚、図５は、電子ローソク１ａの正面断面図、図６は、電子ローソク１ａの底面図である。
図５に示すように、電子ローソク１ａは、円筒形に形成された本体部２ａの基端部が専用燭台２０に挿着されており、上端面に発光ダイオード３ａが取り付けられている。また、半透明乳白色の発光灯カバー４ａが発光ダイオード３ａを覆っている。
【００１７】
上記本体部２ａには制御回路８ａが内蔵されており、この制御回路８ａは、専用燭台２０に収納されている電気二重層コンデンサ６ａの充電電圧を電源として発光ダイオード３ａを発光制御する。
【００１８】
図６に示すように、専用燭台２０の底面部には充電用端子２１ａ，２１ｂが設けられている。この充電用端子２１ａ，２１ｂは、前述の充電器１０の接点バネ１１ａ，１１ｂに接触された場合，当該充電器１０から出力された充電電圧が印加される。この充電電圧は、発光ダイオード３ａの下側に配設された制御回路８ａを介して電気二重層コンデンサ６ａに充電される。
【００１９】
以上のように構成された電子ローソク１ａを使用する場合、専用燭台２０の底面部に設けられた充電用端子２１ａ，２１ｂを前述の充電器１０の接点バネ１１ａ，１１ｂに接触させることによって、専用燭台２０に収納されている電気二重層コンデンサ６ａに、数秒間、充電する。このように電気二重層コンデンサ６ａが充電されると、電子ローソク１ａの発光ダイオード３ａが数十分間、発光し、半透明乳白色の発光灯カバー４ａが油脂材から成るローソクの炎のように光る。このように、仏壇等で電子ローソク１ａを使用する場合、その場で急速充電し、数十分間、連続使用することができる。
【００２０】
尚、前述の電子ローソク１の制御回路８、及び電子ローソク１ａの制御回路８ａは、電子ローソク１の発光ダイオード３、電子ローソク１ａの発光ダイオード３ａを均一的に発光させたり、揺らぎを付けて発光させるような電子回路を有している。
【００２１】
【発明の効果】
本発明によれば、煩わしい電池交換が不要であるとともに、充電が切れている場合でも急速充電してすぐに使用することができるという効果がある。
【図面の簡単な説明】
【図１】市販の燭台に起立させることができる電子ローソクの正面断面図である。
【図２】図１のＡ−Ａ矢視図である。
【図３】充電器の平面図である。
【図４】充電器の側面図である。
【図５】専用燭台を有する電子ローソクの正面断面図である。
【図６】専用燭台を有する電子ローソクの底面図である。
【符号の説明】
１，１ａ    電子ローソク
２，２ａ    本体部
３，３ａ    発光ダイオード
４，４ａ    発光灯カバー
５    ガイド穴
６，６ａ    電気二重層コンデンサ
７ａ，７ｂ    充電用端子
８，８ａ    制御回路
１０    充電器
１１ａ，１１ｂ    充電端子用接点バネ
１２    単３形乾電池ホルダー
１３    電池用カバー
２０    専用燭台
【図１】
2005078809.tif 000003
【図２】
2005078809.tif 000004
【図３】
2005078809.tif 000005
【図４】
2005078809.tif 000006
【図５】
2005078809.tif 000007
【図６】
2005078809.tif 000008